(57)【要約】【課題】予め決められた所定の上限量を超えるまでは排水栓４が開いているにもかかわらず補水運転を行うので、所定の上限量分の湯を捨ててしまうという課題があった【解決手段】制御装置２９には、入室判定手段３５が浴室に人がいると判定しているとき、補水開始判定水位よりも浴槽３の水位が下がったら、補水運転制御手段３０は補水運転を開始し、入室判定手段３５が浴室に人がいないと判定しているとき、補水開始判定水位よりも浴槽の水位が下がったら、浴槽３に溜まった水を排水する排水栓４が抜けていると判定する栓抜け判定手段３７を設けた。【選択図】図２
2020153550.tif 000002
【特許請求の範囲】
【請求項１】
浴室内に設置された浴槽内における圧力変化から水位を検出する水位センサと、
前記浴室内における人の有無を検出する人感センサとを備え、
前記人感センサの検出結果に基づいて、人が入室したか否かを判定する入室判定手段と、
前記水位センサにより水位を監視し、予め決められた補水開始判定水位よりも浴槽の水位が下がった場合、前記浴槽に連通する配管を介して予め任意に定められた設定水位まで湯を供給する補水運転を行う補水運転制御手段とを有した制御装置を設けた風呂給湯装置において、
前記制御装置には、前記入室判定手段が浴室に人がいると判定しているとき、前記補水開始判定水位よりも浴槽の水位が下がったら、前記補水運転制御手段は補水運転を開始し、
前記入室判定手段が浴室に人がいないと判定しているとき、前記補水開始判定水位よりも浴槽の水位が下がったら、前記浴槽に溜まった水を排水する排水栓が抜けていると判定する栓抜け判定手段を設けたことを特徴とする風呂給湯装置。
【請求項２】
前記制御装置には、前記排水栓を自動で開閉することができる栓開閉手段を設け、
前記栓抜け判定手段で前記浴槽の栓が抜けていると判定した場合、前記栓開閉手段は、前記浴槽の栓を閉じるようにしたことを特徴とする請求項１記載の風呂給湯装置。
【発明の詳細な説明】
【技術分野】
【０００１】
本発明は、浴槽内に張られた水（湯）の水位が予め決められた補水開始判定水位よりも低くなった場合、補水運転を開始する補水運転手段を備えた風呂給湯装置に関するものである。
【背景技術】
【０００２】
従来より、この種の予め任意に設定された給湯温度で、設定された設定水位になるように湯を供給する補水運転を含む自動湯張り運転機能を備えた風呂給湯装置においては、補水運転で湯を供給した補水量を積算し、その積算補水量が予め決めた所定の上限量を超えた場合、浴槽に備えた排水栓が開いており、水が抜けていることを判定し、補水運転を中止するものが知られていた。
【先行技術文献】
【特許文献】
【０００３】
【特許文献１】特開２００３−４２５３４号公報
【発明の概要】
【発明が解決しようとする課題】
【０００４】
しかし、この特許文献１のようなものでは、予め決めた所定の上限量を超えるまでは排水栓が開いているにもかかわらず補水運転を行うので、所定の上限量分の湯を捨ててしまうという課題があった。
【課題を解決するための手段】
【０００５】
本発明は上記課題を解決するため、浴室内に設置された浴槽内における圧力変化から水位を検出する水位センサと、前記浴室内における人の有無を検出する人感センサとを備え、前記人感センサの検出結果に基づいて、人が入室したか否かを判定する入室判定手段と、前記水位センサにより水位を監視し、予め決められた補水開始判定水位よりも浴槽の水位が下がった場合、前記浴槽に連通する配管を介して予め任意に定められた設定水位まで湯を供給する補水運転を行う補水運転制御手段とを有した制御装置を設けた風呂給湯装置において、前記制御装置には、前記入室判定手段が浴室に人がいると判定しているとき、前記補水開始判定水位よりも浴槽の水位が下がったら、前記補水運転制御手段は補水運転を開始し、前記入室判定手段が浴室に人がいないと判定しているとき、前記補水開始判定水位よりも浴槽の水位が下がったら、前記浴槽に溜まった水を排水する排水栓が抜けていると判定する栓抜け判定手段を設けた。
【０００６】
また、前記制御装置には、前記排水栓を自動で開閉することができる栓開閉手段を設け、前記栓抜け判定手段で前記浴槽の栓が抜けていると判定した場合、前記栓開閉手段は、前記浴槽の栓を閉じるようにした。
【発明の効果】
【０００７】
本発明によれば、入室判定手段で浴室に人がいないと判定している場合、人が浴室にいないので掛け湯等の外乱が無いにも関わらず現在水位が低下していることから排水栓４が開いていることで、現在水位が低下していると判断するため、栓抜け判定手段３７は排水栓４が開いていることを判定する事ができる。
【０００８】
また、入室判定手段で浴室に人がいないと判定している場合、現在水位が低下したことで、栓抜け判定手段３７は栓抜け判定をおこなっているので、予め決められた量の湯が排水されるまで栓抜け判定を行わないものと違い、早急に栓抜けを知ることができ、無駄に浴槽の湯を捨ててしまうことを防止することができる。。
【図面の簡単な説明】
【０００９】
【図１】本発明の第１実施形態の概略説明図
【図２】本発明の補水運転の動作を表すフローチャート
【発明を実施するための形態】
【００１０】
次に、本発明の第１実施形態を図面に基づいて説明する。
１は温水を貯湯する貯湯タンク、２は温水を加熱する加熱手段としてのヒートポンプユニット、３は浴槽、４は浴槽３の底面にある浴槽の水を排水する排水栓である。
【００１１】
５は貯湯タンク１とヒートポンプユニット２を循環可能に接続する加熱循環回路で、加熱循環ポンプ６を有し貯湯タンク１の下部に接続されたヒーポン往き管及び貯湯タンク１上部に接続されたヒーポン戻り管より構成され、貯湯タンク１下部の冷水を、ヒーポン往き管を介してヒートポンプユニット２で加熱し、加熱された高温の温水をヒーポン戻り管で貯湯タンク１上部に戻して貯湯タンク１内に温水を加熱貯湯するものである。なお、貯湯タンク１の外周面には貯湯温度センサ７を有しており、この貯湯温度センサ７が所定温度以上を検出することで貯湯量を検知するものである。
【００１２】
８は貯湯タンク１に水を供給する給水管、９は貯湯タンク１内の温水を出湯する出湯管、１０は給水管８から分岐し、貯湯タンク１を迂回する給水バイパス管、１１は給水バイパス管１０からの冷水と出湯管９からの温水を設定温度になるように混合する給湯混合弁、１２は混合された設定温度の温水を給湯する給湯管、１３は給湯管１２の端部に設けられる給湯栓である。１４は給湯混合弁１１の下流に設けた給湯温度センサ、１５は給湯量をカウントする給湯流量センサである。なお、１６は水道圧を所定の圧力に減圧する減圧弁、１７は加熱されることによる過圧を逃がす圧力逃し弁である。
【００１３】
１８は風呂循環回路で、貯湯タンク１内の湯水と循環する風呂の湯水とを熱交換させる風呂熱交換器１９と浴槽３とを、浴槽３から風呂熱交換器１９に向かう風呂往き管１８ａ及び風呂熱交換器１９から浴槽３に向かう風呂戻り管１８ｂとで循環可能に接続するものである。そして、２０は浴槽３と風呂循環回路１８を接続する循環口である。
【００１４】
２１は風呂循環回路１８に設けられた風呂循環ポンプ、２２は流水の有無を検出する流水センサ、２３は風呂循環回路１７を流れる風呂の温度を検出する風呂温度センサ、２４は湯水の水圧から浴槽３内の水位を検出する水位センサであり、風呂循環回路１８途中の風呂循環ポンプ２１よりも上流側に設けられている。この水位センサ２４は、湯水の水圧から浴槽３内の水位を検出しているので、循環口２０が露出してしまうと水位検出が行えないため、水位を検出するためには循環口１９よりも水位が上である必要がある。
【００１５】
２５は給湯管１２途中から分岐されて風呂循環回路１８に接続され浴槽３への湯張りを行うための湯張り管、２６はこの湯張り管２５に設けられ浴槽３への湯張りの開始、停止を行う湯張り弁、２７は浴槽３への湯張り量をカウントする風呂流量センサである。
【００１６】
２８はヒートポンプユニット２の加熱制御を行う加熱制御部、２９は給湯および風呂の制御を行う制御装置で、貯湯温度センサ７、給湯温度センサ１４、給湯流量センサ１５、流水センサ２２、風呂温度センサ２３、水位センサ２４、風呂流量センサ２７、の検出値が入力され、加熱循環ポンプ６、給湯混合弁１１、風呂循環ポンプ２１、湯張り弁２６を駆動するものである。制御装置２８には、補水運転時の動作を制御する補水運転制御手段２９が備えられている。
【００１７】
３１は制御装置２９と通信可能で、浴室内に設けられた浴室内リモコンであり、補水運転の目標水位である設定水位を設定する操作部３２と、設定内容を表示する表示部３３と、浴室内における人の有無を検出する人感センサ３４とが設けられている。
【００１８】
人感センサ３４は、検出エリア内の熱源の温度変化量を検出する焦電センサであり、浴室に人がいることを検出する。具体的には、人感センサ３４は、人が移動したときや手足などを動かすことによる検出エリアの温度変化を検出することにより、浴室内に人が在室しているか否かを検出するものであり、人感センサ３４の検出結果に基づいて、制御装置２８に設けられた入室判定手段３５で浴室内への入室と浴室外への退室との判定を行う。
【００１９】
そして、３６は制御装置２９と通信可能で、浴室外に設けられた浴室外リモコンであり、浴室内リモコン３１と同様に操作部３２、表示部３３を有している。
【００２０】
３７は排水栓４が開いていることを後述するフローチャートの条件で判定する栓抜け判定手段であり、３８は排水栓４と連動し、自動で開閉することができる栓開閉手段であり、この栓開閉手段３８が制御装置２９の判断で排水栓４の開閉をした場合は、浴室外リモコン３６に排水栓４が開いていたので排水栓閉じた旨を報知するようにしている。
【００２１】
次に、沸き上げ運転について説明する。
沸き上げ要求があると、制御装置２９は、貯湯タンク１とヒートポンプユニット２を繋ぐ配管の途中にある加熱循環ポンプ５を駆動して、貯湯タンク１内下部から水をくみ上げ、ヒートポンプユニット２で温めて貯湯タンク１上部に戻す動作を続ける事により徐々に貯湯タンク１内の水が高温水へと沸き上げる。
【００２２】
次に、給湯動作ついて説明する。
給湯栓１３が開かれると給水管８から給水され、貯湯タンク１下部に流入すると共に給水バイパス管１０を通り、貯湯タンク１上部から押し出された高温水と給水バイパス管１０の給水が給湯ミキシング弁１１で混ぜ合わされ、給湯設定温度と給湯温度センサ１４で検出された温度が同じなるように調整された湯水が給湯栓１３から給湯される。
【００２３】
また、湯張り動作について説明する。
浴室内リモコン３１および浴室外リモコン３６の湯張りスイッチが押されると制御装置２９は湯張り弁２６を開弁し、給水管８から給水を供給し、貯湯タンク１下部に流入すると共に給水バイパス管１０を通り、貯湯タンク１上部から押し出された高温水と給水バイパス管１０の給水が給湯混合弁１１で混ぜ合わされ、風呂設定温度と風呂温度センサ２３で検出された温度が同じになるように調整された湯水が浴槽３に流入されることで湯張りが開始される。そして、風呂流量センサ２７で流れた流量を検出して、流れた流量の合計積算値が湯張り設定量分流れたら制御装置２９が湯張り弁２６を閉状態にすることで湯張りを完了する。
【００２４】
次に、補水運転について説明する。
湯張り運転が完了したあと、浴槽３の水位が補水運転の開始水位である補水開始判定水位を下回ると、補水運転制御手段３０は、補水運転を開始させ、予め浴室内リモコン３１または浴室外リモコン３６で設定された設定水位に達するように、補水運転制御手段３０は、現在の水位と設定水位の差分を計算し、その差分と予め求めておいた浴槽断面積とから設定水位に達するのに必要な補水量を求め、浴槽３への給湯を行うことで補水運転を行っている。そして、この補水運転は、湯張り完了後から浴室内リモコン３１または浴室外リモコン３６で予め設定された浴槽の湯を一定温度に繰り返し沸き上げる自動保温運転の設定時間（ここでは約３時間）の間、繰り返し行われる。このように浴槽３の水位が補水開始判定水位を下回ると行われる動作を補水運転とする。
【００２５】
そして、この湯張り運転が完了したあとの自動保温運転が開始されることで、補水運転制御手段３０と入室判定手段３５と栓抜け判定手段３７と栓開閉手段３８との動作による本実施例の動作が開始するものであり、浴室内リモコン３１または浴室外に設けられた浴室外リモコン３６の電源を切ること、または、所定期間の自動保温運転が終了することで、補水運転制御手段３０と入室判定手段３５と栓抜け判定手段３７と栓開閉手段３８との動作による本実施例の動作が停止するようにしている。また、ユーザーが任意で自動保温運転の実行を選択するスイッチで開始もしくは解除するようにしてもよい。
【００２６】
次に補水運転の動作について図３のフローチャートに基づいて詳しく説明する。
まず、湯張り運転が完了すると（Ｓ１がＹｅｓ）、自動保温運転を開始する（Ｓ２）。この自動保温運転中に補水運転制御手段３０は、現在の水位が補水開始判定水位よりも低いかどうか確認する（Ｓ３）。
【００２７】
現在の水位が補水開始判定水位よりも低くなり（Ｓ３がＹｅｓ）、入室判定手段３５が浴室に人がいることを確認すると（Ｓ４がＹｅｓ）、補水運転制御手段３０は、補水運転を開始する（Ｓ５）。この補水運転中に、補水運転制御手段３０は、補水運転の補水積算量が設定湯張り量に達したかどうかを確認し（Ｓ６）、補水積算量が設定湯張り量に達すると（Ｓ６がＮｏ）、栓抜け判定手段３７は栓抜けエラーと判定し（Ｓ７）、排水栓４を閉止することを促す旨の報知を行う（Ｓ８）。
【００２８】
このように、栓抜け判定手段３７は、入室判定手段３５が浴室に人がいることを判定している場合、現在の水位が補水開始判定水位よりも低くなったのは、掛け湯等で浴槽の湯を使用したものと判断し、排水栓４が開いていても浴室に人がいる場合なら排水栓４を閉じていると判断できるため、この水位低下は排水栓４が開いていることによるものではないと判定することができ、補水積算量が設定湯張り量するまで補水運転を継続する。
【００２９】
また、予め設定された設定水位まで水位を上昇させ、補水運転の補水積算量が設定湯張り量に達しないまま（Ｓ６がＹｅｓ）、設定水位に達するのに必要な補水量分を注湯すると（Ｓ９がＹｅｓ）、補水運転を終了し（Ｓ１０）、Ｓ３に戻って自動保温運転を継続する。
【００３０】
そして、Ｓ４で浴室に人がいないことを入室判定手段３５で判定している場合は（Ｓ４がＮｏ）、制御装置２９の栓開閉手段３８と排水栓４とが連動して排水栓４を閉めることができるかを確認し（Ｓ１１）、栓開閉手段３８と排水栓４とが連動していない場合は（Ｓ１１がＮｏ）、栓抜け判定手段３７は栓抜けエラーと判定し（Ｓ７）、浴室内リモコン３１及び浴室外リモコン３６で排水栓４を閉止することを促す旨の報知を行う（Ｓ８）。
【００３１】
このように、入室判定手段３５が浴室に人がいることを判定していない場合、人が浴室にいないにも関わらず現在水位が低下していることから排水栓４が開いていることで、現在水位が低下していることが考えられるため、栓抜け判定手段３７は排水栓４が開いていることを判定する事ができる。
【００３２】
また、入室判定手段３５で浴室に人がいないと判定している場合、現在水位が低下したことで、栓抜け判定手段３７は栓抜け判定をおこなっているので、補水積算量が設定湯張り量に達するまで栓抜け判定を行わないものと違い、早急に栓抜けを知ることができ、無駄に浴槽の湯を捨ててしまうことを防止することができる。
【００３３】
また、この排水栓４が栓開閉手段３８と連動していない場合、ユーザーに排水栓４を閉じるように促す旨を浴室内リモコン３１及び浴室外リモコン３６で報知することで、早急に排水栓４を閉めることができる。
【００３４】
また、制御装置２９の栓開閉手段３８と排水栓４とが連動して排水栓４を閉めることができるかを確認し（Ｓ１１）、栓開閉手段３８と排水栓４とが連動している場合は（Ｓ１１がＹｅｓ）、栓開閉手段３８は排水栓４を閉める（Ｓ１２）。その後、制御装置２９は浴室内リモコン３１及び浴室外リモコン３６で排水栓４が開いていた旨を報知すると共に、排水栓４を閉じた旨の報知を行う（Ｓ１３）。
【００３５】
このように、この排水栓４が栓開閉手段３８と連動している場合、栓抜け判定手段３７で栓抜けの判定がされると、制御装置２９は栓開閉手段３８で排水栓４を閉め、その後浴室内リモコン３１及び浴室外リモコン３６で排水栓４が開いていたので閉じた旨の報知を行うことで、余計に湯が捨てられることを防止することができる。
【００３６】
そして、補水運転制御手段３０と栓抜け判定手段３７は連動させているので、自動保温運転を切り忘れた状態でユーザーが浴槽水を抜くために排水栓４を開けた場合、現在水位の低下から自動保温運転の動作で補水運転が開始されてしまう前に、栓抜け判定手段３７は排水栓４が抜けていることを報知するので、無駄に湯が消費されることを防ぐことができる。
【００３７】
また、もう浴槽３の湯に浸からないとき、自動保温運転を切った状態でユーザーが浴槽水を抜くために排水栓４を開けた場合、補水運転制御手段３０と連動している栓抜け判定手段３７は栓抜け判定を行わず、ユーザーが任意に排水栓４を抜いても排水栓４を閉じるよう促す旨の報知や栓開閉手段３８で排水栓４を閉じてしまうような煩わしい動作を行わないようにすることができる。
【００３８】
なお、本発明は本実施例に限定されるものではなく、要旨を変更しない範囲で改変する事を妨げるものではなく、例えば、今回はヒートポンプ式貯湯給湯機を用いて説明したが、貯湯タンク１内にヒーターを設けたものやバーナなどの熱源で湯水を加熱する給湯機でもよいものである。
【符号の説明】
【００３９】
１      貯湯タンク
３      浴槽
４      排水栓
１７    風呂循環回路
１８    風呂熱交換器
２７    風呂流量センサ
２９    制御装置
３０    補水運転制御手段
３１    浴室内リモコン
３４    人感センサ
３５    入室判定手段
３６    浴室外リモコン
３７    栓抜け判定手段
３８    栓開閉手段
【図１】
2020153550.tif 000003
【図２】
2020153550.tif 000004